(57)【要約】【課題】左右側壁と後側壁との係合を堅固に行い得て、両者の接合部の強度を十分に高めることができるようにすること。【解決手段】一枚の厚紙の折り曲げにより箱状に組み立てる組み立て紙箱であって、前記後側壁と左右側壁の折り曲げ接当位置に、それら側壁に折り曲げ自在の合わせ片を繋げ、一段折り曲げ部と二段折り曲げ部を設け得、両者を係合させてある。【選択図】図３
0003122876.tif 000002
【実用新案登録請求の範囲】
【請求項１】
一枚の厚紙から、四角の底部１と、これに折り曲げ自在に繋がる左右側壁２，４，及び前後側壁３，５と、前記左右側壁２，４の一方の側部に折り曲げ自在に繋がり、且つ、その遊端部２ａ，４ａが互いに係合する仮止め片６，７と、前記前後側壁３，５の少なくとも一方の上縁に繋がる蓋体２５とを構成し、この厚紙の折り曲げにより箱状に組み立てる組み立て紙箱であって、
前記後側壁３と左右側壁２，４との折り曲げ接当位置に、それら側壁２，３，４に折り曲げ自在の合わせ片８，９，１０，１１を繋げ、
前記左右側壁２，４の合わせ片１０，１１に、その左右側壁２，４の上縁を折り曲げ位置として、上方に延長した一段折り曲げ部２Ａ，４Ａを一体的に設けると共に、該一段折り曲げ部２Ａ，４Ａの上縁に一段折り曲げ部係合片１２，１３を設け、且つ、該一段折り曲げ部２Ａ，４Ａにおける前記左右側壁２，４の上縁相当位置に後壁用係合孔１４，１５を穿孔し、
前記後側壁３の合わせ片８，９の上端部に、その後側壁３の上縁を折り曲げ位置として、前記左右側壁２，４の一段折り曲げ部２Ａ，４Ａよりも更に一段上方に長く形成した２段折り曲げ部８Ａ，９Ａを設けると共に、該二段折り曲げ部８Ａ，９Ａの上縁に２段折り曲げ部係合片１６，１７を設け、且つ、該二段折り曲げ部８Ａ，９Ａにおける前記後側壁３の上縁相当位置に、該２段折り曲げ部係合片１６，１７を係合させる下部スリット１８，１９を形成し、また、該二段折り曲げ部８Ａ，９Ａの上下略中間位置に、前記一段折り曲げ部係合片１２，１３を係合片させる中間スリット２０，２１を形成し
紙箱組み立てに際して、前記合わせ片８，９，１０，１１を内側に折り曲げると共に前記一段折り曲げ部係合片１２，１３を前記中間スリット２０，２１に係合させ、且つ、前記二段折り曲げ部係合片１６，１７を一段折り曲げて前記後壁用係合孔１４，１５に係合させると共に前記二段折り曲げ部係合片１６，１７を二段折り曲げ、前記一段折り曲げ部２Ａ，４Ａを一段折り曲げて、前記二段折り曲げ部係合片１６，１７を、前記壁用係合孔１４，１５を通して前記下部スリット１８，１９に係合させ、組み立て後において、前記一段折り曲げ部２Ａ，４Ａと前記二段折り曲げ部８Ａ，９Ａとが一体となって略水平に位置して、その外側縁２Ｃ，４Ｃが前記左右側壁２，４の内側上縁部２Ｄ，４Ｄに接当するように構成してあることを特徴とする組み立て紙箱。
【請求項２】
前記後側壁３の合わせ片８，９が予め内側に折り曲げられて後側壁３の内面に貼着されていることを特徴とする請求項１の組み立て紙箱。
【請求項３】
前記前後側壁３，５の両方の上縁に二つの蓋体部分２５Ａ，２５Ｂを折り曲げ自在に繋げて設けると共に該蓋体部分２５Ａ，２５Ｂに折り曲げにより取っ手８Ｃ，８Ｄを形成し、且つ、前記左右側壁２，４の両方の上縁に、前記取っ手８Ｃ，８Ｄに係合する押さえ片２Ｂ，４Ｂを折り曲げ自在に繋げて設けてあることを特徴とする請求項１又は請求項２の組み立て紙箱。
【考案の詳細な説明】
【技術分野】
【０００１】  本考案は、ケーキや菓子類を収納する厚紙で構成された組み立て紙箱に関するものである。
【背景技術】
【０００２】  この種の組み立て紙箱としては、種々の形態のものが提案されているが、小型のケーキや菓子類を収納する紙箱として、基本的には、一枚の厚紙から、四角の底部と、これに折り曲げ自在に繋がる左右側壁及び前後側壁と、前記左右側壁の一方の側部に折り曲げ自在に繋がり、且つ、その遊端部が互いに係合する仮止め片と、前記前後側壁の少なくとも一方の上縁に繋がる蓋体とを構成し、この厚紙の折り曲げにより箱状に組み立てる構造のものが一般的である。【０００３】  これまでの組み立て紙箱に関わる技術としては、次の文献を挙げることができる。
【特許文献１】登録実用新案第３１１８７４８号。
【特許文献２】特開２００４−３３８７９９。
【特許文献３】特開２０００−２５５５４５。
【特許文献４】特開平９−２４９３０。
【考案の開示】
【考案が解決しようとする課題】
【０００４】  上述した従来技術の何れにも共通するが、例えば、上記特開平９−２４９３０（以下、同公報の部材番号を参考に援用する）にあっては、箱の組み立てにおいて、一枚の厚紙から、底部（１１）を基体として、左右側壁（１３）及び前後側壁（１４）を折り曲げて立ち上げ、前記左右側壁（１３）の一方の側部の仮止め片（２１）を折り曲げ、そして、その遊端部を互いに係合（２２）させるが、前記左右側壁（１３）の他方の側部には係合突起（２３ａ）を設け、後側壁（１４）の側部に設けた折り曲げ片（１９）に形成したスリット（２３ｂ）に嵌合させる方式を採っている。【０００５】  こうした仮止め方式は一般的であるが、上記の係合突起（２３ａ）は、直接に、後側壁（１４）の折り曲げ片（１９）のスリット（２３ｂ）に嵌入されていて、その係合突起（２３ａ）の部分だけで両者の係合状態を保持しているだけであるので、曲げ力が係合突起（２３ａ）の部分に作用すると容易に座屈して極めて弱いものであり、また、後側壁（１４）の側部と折り曲げ片（１９）との境にスリット（２３ｂ）を形成するので、この後側壁（１４）自体の強度も低下する。【０００６】  本考案は、かかる問題に鑑み、左右側壁と後側壁との係合を堅固に行い得て、両者の接合部の強度を十分に高めることができるようにすることを目的とする。
【課題を解決するための手段】
【０００７】  本考案において、次の語彙を明らかにしておく。
ここに言う左右側壁と前後側壁とは、何れが左右で前後であるかは、捉え方次第であり、ここでは、左右側壁の一方の側部の仮止め片が位置する側が前側壁とし、これに対向する側が後側壁であるとし、その左右が左右側壁としている。
前記左右側壁の一方の側部の仮止め片とは、それらの遊端部に通常切り欠きが設けられて、互いが一部重なり合う状態で切り欠きが係合片するものである。
前記前後側壁の少なくとも一方の上縁に繋がる蓋体とは、一枚物の蓋体を言うが、この発明では、前後側壁の両方の上縁に夫々蓋体部分が繋がれた実施例を示す如く、蓋体は、一つであっても、二つであっても、本発明の対象となる。【０００８】  本発明にかかる組み立て紙箱は、上記目的を達成するために、一枚の厚紙から、四角の底部１と、これに折り曲げ自在に繋がる左右側壁２，４，及び前後側壁３，５と、前記左右側壁２，４の一方の側部に折り曲げ自在に繋がり、且つ、その遊端部２ａ，４ａが互いに係合する仮止め片６，７と、前記前後側壁３，５の少なくとも一方の上縁に繋がる蓋体２５とを構成し、この厚紙の折り曲げにより箱状に組み立てる組み立て紙箱であって、
前記後側壁３と左右側壁２，４との折り曲げ接当位置に、それら側壁２，３，４に折り曲げ自在の合わせ片８，９，１０，１１を繋げ、
前記左右側壁２，４の合わせ片１０，１１に、その左右側壁２，４の上縁を折り曲げ位置として、上方に延長した一段折り曲げ部２Ａ，４Ａを一体的に設けると共に、該一段折り曲げ部２Ａ，４Ａの上縁に一段折り曲げ部係合片１２，１３を設け、且つ、該一段折り曲げ部２Ａ，４Ａにおける前記左右側壁２，４の上縁相当位置に後壁用係合孔１４，１５を穿孔し、
前記後側壁３の合わせ片８，９の上端部に、その後側壁３の上縁を折り曲げ位置として、前記左右側壁２，４の一段折り曲げ部２Ａ，４Ａよりも更に一段上方に長く形成した２段折り曲げ部８Ａ，９Ａを設けると共に、該二段折り曲げ部８Ａ，９Ａの上縁に２段折り曲げ部係合片１６，１７を設け、且つ、該二段折り曲げ部８Ａ，９Ａにおける前記後側壁３の上縁相当位置に、該２段折り曲げ部係合片１６，１７を係合させる下部スリット１８，１９を形成し、また、該二段折り曲げ部８Ａ，９Ａの上下略中間位置に、前記一段折り曲げ部係合片１２，１３を係合片させる中間スリット２０，２１を形成し
紙箱組み立てに際して、前記合わせ片８，９，１０，１１を内側に折り曲げると共に前記一段折り曲げ部係合片１２，１３を前記中間スリット２０，２１に係合させ、且つ、前記二段折り曲げ部係合片１６，１７を一段折り曲げて前記後壁用係合孔１４，１５に係合させると共に前記二段折り曲げ部係合片１６，１７を二段折り曲げ、前記一段折り曲げ部２Ａ，４Ａを一段折り曲げて、前記二段折り曲げ部係合片１６，１７を、前記壁用係合孔１４，１５を通して前記下部スリット１８，１９に係合させ、組み立て後において、前記一段折り曲げ部２Ａ，４Ａと前記二段折り曲げ部８Ａ，９Ａとが一体となって略水平に位置して、その外側縁２Ｃ，４Ｃが前記左右側壁２，４の内側上縁部２Ｄ，４Ｄに接当するように構成してある、という手段を講じたものである。
【考案の効果】
【０００９】  本考案にかかる組み立て紙箱によれば、左右側壁と後側壁との係合を堅固に行い得て、両者の接合部の強度を十分に高めることができるようにするすることができる。
また、左右側壁と後側壁との合わせ片は、両者の側縁に位置するので、合わせ部分における強度を向上させる。【００１０】  そして、前記一段折り曲げ部を巻き込んだ前記二段折り曲げ部の二段折りと、前記二段折り曲げ部係合片を、前記後壁用係合孔を通した前記下部スリットへ係合させることによって、両者の係合が解け難いという利点がある。
また、前記一段折りの前記一段折り曲げ部を巻き込んだ前記二段折り曲げ部は、組み立て後において、略水平となり、その外側縁が前記左右側壁の内側上縁部に接当することで、左右側壁と後側壁の接当する上部コーナーがしっかりとしたものになる。
【考案を実施するための最良の形態】
【００１１】  本考案の実施に際しては、前記後側壁３の合わせ片８，９が予め内側に折り曲げられて後側壁３の内面に貼着されていることが好ましい。
このように、後側壁３の合わせ片８，９が予め内側に折り曲げられて後側壁３の内面に貼着されている場合には、この紙箱は、完全な平面に展開され得て搬送上の嵩も低くなるものでありながら、左右側壁２，４の合わせ片１０，１１の方だけ折り曲げれば済むので、組み立て時に便利であると共に合わせ片８，９と後側壁３とが完全一体化することで大幅な強度アップを図ることができる。【００１２】  そして、前記前後側壁３，５の両方の上縁に二つの蓋体部分２５Ａ，２５Ｂを折り曲げ自在に繋げて設けると共に該蓋体部分２５Ａ，２５Ｂに折り曲げにより取っ手８Ｃ，８Ｄを形成し、且つ、前記左右側壁２，４の両方の上縁に、前記取っ手８Ｃ，８Ｄに係合する押さえ片２Ｂ，４Ｂを折り曲げ自在に繋げて設けてあることが好ましい。
このように、蓋体２５を二つの蓋体部分２５Ａ，２５Ｂから構成し、それらに取っ手８Ｃ，８Ｄを形成し、また、押さえ片２Ｂ，４Ｂを備えることで、コーナー部に強度があり、容易に把持できる組み立て紙箱が得られる
【実施例】
【００１３】  本考案にかかる組み立て紙箱の好適実施例について、図面を参照して以下詳述する。図１に示すのは、紙箱の完成された全体の斜視図であり、図２は、展開図であり、図３乃至図５は、夫々組み立て工程を示す斜視図である。【００１４】  ここでは、組み立て紙箱の基本構造は、図２に示すように、一枚の厚紙（厚さ約１ｍｍ）から、四角の底部１と、これに折り曲げ自在に繋がる左右側壁２，４，及び前後側壁３，５と、前記左右側壁２，４の一方の側部に折り曲げ自在に繋がり、且つ、その遊端部２ａ，４ａが互いに係合する仮止め片６，７と、前記前後側壁３，５の少なくとも一方の上縁に繋がる蓋体２５とを構成し、この厚紙の折り曲げにより箱状に組み立てる組み立てられるものである。【００１５】  そして、前記後側壁３と左右側壁２，４との折り曲げ接当位置に、それら側壁２，３，４に折り曲げ自在の合わせ片８，９，１０，１１を繋げ、前記左右側壁２，４の合わせ片１０，１１に、その左右側壁２，４の上縁を折り曲げ位置として、上方に延長した一段折り曲げ部２Ａ，４Ａを一体的に設けると共に、該一段折り曲げ部２Ａ，４Ａの上縁に一段折り曲げ部係合片１２，１３を設け、且つ、該一段折り曲げ部２Ａ，４Ａにおける前記左右側壁２，４の上縁相当位置に後壁用係合孔１４，１５を穿孔してある。【００１６】  又、前記後側壁３の合わせ片８，９の上端部に、その後側壁３の上縁を折り曲げ位置として、前記左右側壁２，４の一段折り曲げ部２Ａ，４Ａよりも更に一段上方に長く形成した２段折り曲げ部８Ａ，９Ａを設けると共に、該二段折り曲げ部８Ａ，９Ａの上縁に２段折り曲げ部係合片１６，１７を設け、且つ、該二段折り曲げ部８Ａ，９Ａにおける前記後側壁３の上縁相当位置に、該２段折り曲げ部係合片１６，１７を係合させる下部スリット１８，１９を形成し、また、該二段折り曲げ部８Ａ，９Ａの上下略中間位置に、前記一段折り曲げ部係合片１２，１３を係合片させる中間スリット２０，２１を形成してある。【００１７】  この実施に際しては、前記後側壁３の合わせ片８，９が予め内側に折り曲げられて後側壁３の内面に貼着されている。
このように、後側壁３の合わせ片８，９が予め内側に折り曲げられて後側壁３の内面に貼着されている場合には、この紙箱は、完全な平面に展開されないので、搬送上の嵩が高いが、左右側壁２，４の合わせ片１０，１１の方だけ折り曲げれば済むので、組み立て時に便利であると共に合わせ片８，９と後側壁３とが完全一体化することで大幅な強度アップを図ることができる。【００１８】  そして、前記前後側壁３，５の両方の上縁に二つの蓋体部分２５Ａ，２５Ｂを折り曲げ自在に繋げて設けると共に該蓋体部分２５Ａ，２５Ｂに折り曲げにより取っ手８Ｃ，８Ｄを形成し、且つ、前記左右側壁２，４の両方の上縁に、前記取っ手８Ｃ，８Ｄに係合する押さえ片２Ｂ，４Ｂを折り曲げ自在に繋げて設けてある。
このように、蓋体２５を二つの蓋体部分２５Ａ，２５Ｂから構成し、それらに取っ手８Ｃ，８Ｄを形成し、また、押さえ片２Ｂ，４Ｂを備えることで、コーナー部に強度があり、容易に把持できる組み立て紙箱が得られる【００１９】  従って、紙箱組み立てに際しては、図３に示す状態から、図４に示すように、前記合わせ片８，９，１０，１１を内側に折り曲げると共に前記一段折り曲げ部係合片１２，１３を前記中間スリット２０，２１に係合させる。
次いで、前記二段折り曲げ部係合片１６，１７を一段折り曲げて前記後壁用係合孔１４，１５に係合させると共に前記二段折り曲げ部係合片１６，１７を二段折り曲げ、前記一段折り曲げ部２Ａ，４Ａを一段折り曲げて、前記二段折り曲げ部係合片１６，１７を、前記壁用係合孔１４，１５を通して前記下部スリット１８，１９に係合させることになる。【００２０】  この結果、組み立て後においては、前記一段折り曲げ部２Ａ，４Ａと前記二段折り曲げ部８Ａ，９Ａとが一体となって、図５の仮想線で示す如く、略水平に位置して、その外側縁２Ｃ，４Ｃが前記左右側壁２，４の内側上縁部２Ｄ，４Ｄに接当することになり、左右側壁２，４の強化を図る。
【産業上の利用可能性】
【００２１】  本考案にかかる組み立て紙箱は、一枚の厚紙から切り出されるタイプのものであれば、ケーキ、菓子などの箱として、各種のものに応用でき、その適用範囲は広いものである。
【図面の簡単な説明】
【００２２】
【図１】本考案に係る組み立て紙箱の全体の斜視図。
【図２】本考案に係る組み立て紙箱の全体の展開平面図。
【図３】本考案により組み立て紙箱の一組み立て工程を示す斜視図。
【図４】本考案により組み立て紙箱の一組み立て工程を示す斜視図。
【図５】本考案により組み立て紙箱の一組み立て工程を示す斜視図。
【符号の説明】
【００２３】１：底部
２：左側壁
２Ａ：一段折り曲げ部
２Ｃ：外側縁
２Ｄ：内側上縁部
２ａ：遊端部
３：前側壁
４：右側壁
４Ａ：一段折り曲げ部
４Ｃ：外側縁
４Ｄ：内側上縁部
５：後側壁
６：仮止め片
７：仮止め片
８：合わせ片
８Ａ：２段折り曲げ部
９：合わせ片
９Ａ：２段折り曲げ部
１０：合わせ片
１１：合わせ片
１２：一段折り曲げ部係合片
１３：一段折り曲げ部係合片
１４：後壁用係合孔
１５：後壁用係合孔
１６：２段折り曲げ部係合片
１７：２段折り曲げ部係合片
１８：下部スリット
１９：下部スリット
２０：中間スリット
２１：中間スリット
２５：蓋体
２５Ａ：蓋体部分
２５Ｂ：蓋体部分
【図１】
0003122876.tif 000003
【図２】
0003122876.tif 000004
【図３】
0003122876.tif 000005
【図４】
0003122876.tif 000006
【図５】
0003122876.tif 000007